(57)【特許請求の範囲】
【請求項１】
やや湾曲している下把っ手１ｉが連設され、上小径凹部１ｆと上大径凹部１ｇを側面視で左右長さ方向のほぼ中央部の内面に上突出部１ｏを挟んで半円形状に形成し、前記上小径凹部１ｆから先端側に向かって上凹凸面１ｍを形成するとともに前記上大径凹部１ｇから前記下把っ手１ｉ側に向かって針金等を切断するための刃部１ｃを設けた上部銜え部１ａと、
やや湾曲している上把っ手１ｈが連設され、断面視幅方向に対し平坦部１ｊと前記平坦部１ｊから連続する湾曲部１ｋと前記湾曲部１ｋから連続する垂下部１ｌとからなるように形成した下小径凹部１ｑと下大径凹部１ｒを側面視で左右長さ方向のほぼ中央部の内面に下突出部１ｐを挟んで半円形状に形成し、前記下小径凹部１ｑから先端側に向かって下凹凸面１ｎを形成するとともに前記下大径凹部１ｒから前記上把っ手１ｈ側に向かって針金等を切断するための刃部１ｃを設け、前記上部銜え部１ａと接合可能な下部銜え部１ｂとからなり、
前記上小径凹部１ｆと前記下小径凹部１ｑの間又は前記上大径凹部１ｇと前記下大径凹部１ｒの間に給油管２を挟着し、前記給油管２を前記湾曲部１ｋに沿って前記垂下部１ｌに密着させるように折り曲げることを特徴とする管折り曲げ具１。
【発明の詳細な説明】
【０００１】
【発明が属する技術分野】
本発明は、模型飛行機用に使用する給油管を曲げるための給油管折り曲げ具の改良に関する発明である。
【０００２】
【従来の技術】
従来、模型飛行機のエンジンに燃料を給油するために取り付けて使用する中空の筒状の管を曲げる道具として、図１０に示すように、給油管折り曲げ具３を使用している。
【０００３】
図１０に示すように、従来の給油管を折り曲げる折り曲げ具３は、上取手３ｄに連設されている下部銜え部３ｂと下取手３ｅに連設した上部銜え部３ａとからなり、狭着部３ｆを有する構造の給油管折り曲げ具３である。符号３ｃは、刃部を示す。
【０００４】
図１１及び図１２に示すように、給油管４を折り曲げる場合には、上取手３ｄに連設されている下部銜え部３ｂと下取手３ｅに連設した上部銜え部３ａ管に給油管４を挟着し折り曲げる。
【０００５】
すると、上部銜え部３ａと下部銜え部３ｂにより給油管４を強く挟着しているために、挟着されて折り曲げられる部分が、矢印ｈ方向及び矢印ｉ方向に押しつぶされ膨張してしまうとともに、矢印ｊ方向に押しつぶされてしまう。
【０００６】
即ち、図１３に示すように、給油管４の水平部４ａと垂下部４ｂ間の外側湾曲部４ｃと内側湾曲部４ｄが押しつぶされて接近してしまい、水平部内４ｆと垂下部内４ｇとの内径よりも極めて狭くなってしまう。
【０００７】
そのために、水平部内４ｆから給油された燃料が、  折曲部内４ｅが狭いために堰き止められた状態になるために、垂下部内４ｇへの給油が極めて少なくなり、給油を必要とするエンジンに十分な給油が不可能となり、エンジンが十分な駆動
をしなくなる。
【０００８】
【発明が解決しようとする課題】
そこで、本発明は、給油管４を折り曲げた際に折り曲げた部分を潰すことがなく、水平部内４ｆ、折曲部内４ｅ及び垂下部内４ｇの内径が殆ど同じ内径を保持しながら折り曲げることができる給油管折り曲げ具を提供することを目的とするものである。
【０００９】
【課題を解決するための手段】
本発明は、上記の課題を解決するために、やや湾曲している下把っ手１ｉが連設され、内面のほぼ中央部に半円形状の上小径凹部１ｆ及び上大径凹部１ｇを形成し、前記上小径凹部１ｆ及び上大径凹部１ｇの左方には上凹凸面１ｍを形成するとともに右方には針金等を切断するための刃部１ｃを設けた上部銜え部１ａと、やや湾曲している上把っ手１ｈが連設され、内面のほぼ中央部に平坦部１ｊと前記平坦部１ｊから連続する湾曲部１ｋと前記湾曲部１ｋから連続する垂下部１ｌとからなる半円形状の下小径凹部１ｑ及び下大径凹部１ｒを形成し、前記下小径凹部１ｑ及び下大径凹部１ｒの左方には下凹凸面１ｎを形成するとともに右方には針金等を切断するための刃部１ｃを設け、前記上部銜え部１ａと接合可能な下部銜え部１ｂとからなり、前記上小径凹部１ｆと前記上大径凹部１ｇ間には上突出部１ｏがあるとともに前記下小径凹部１ｑと前記下大径凹部１ｒ間には下突出部１ｐがあり、前記上小径凹部１ｆと前記下小径凹部１ｑの間又は前記上大径凹部１ｇと前記下大径凹部１ｒの間に給油管２を挟着し、前記給油管２を前記湾曲部１ｋに沿って前記垂下部１ｌに密着させるように折り曲げることができることを特徴とする管折り曲げ具１の構成とした。
【００１０】
【実施例】
以下に、添付図面に基づき、本発明である給油管折り曲げ具について詳細に詳細に説明する。図１は本発明である給油管折り曲げ具の正面図、図２は本発明である給油管折り曲げ具を開いた状態の正面図、図３は本発明である給油管曲げ具を開いた時の左側面図である。
【００１１】
図１、図２及び図３に示すように、本発明である給油管折り曲げ具１は、下取手３ｅが連設されている上部銜え部３ａと上取手３ｄが連設されている下部銜え部３ｂとからなり、前記上部銜え部３ａ及び下部銜え部３ｂに小径折曲部１ｄとと大径折曲部１ｅを設けた構造である。
【００１２】
そして、上部銜え部１ａの内面には、半円形状に形成されている上小径凹部１ｆと上小径凹部１ｆと同様に半円形状に形成されている上大径凹部１ｇがほぼ中央部に形成されている。
【００１３】
上部銜え部１ａの内面に形成されている上小径凹部１ｆと上大径凹部１ｇの左方には上凹凸面１ｍが形成されているとともに、上部銜え部１ａの内面に形成されている上小径凹部１ｆと上大径凹部１ｇの右方には針金等を切断するための刃部１ｃが設けられている。
【００１４】
下部銜え部１ｂの上面には、半円形状に形成されている下小径凹部１ｑｆと下小径凹部１ｑと同様に半円形状に形成されている下大径凹部１ｒがほぼ中央部に形成されている。
【００１５】
下部銜え部１ｂの上面に形成されている下小径凹部１ｑと下大径凹部１ｒの左方には下凹凸面１ｍが形成されているとともに、下部銜え部１ｂの内面に形成されている下小径凹部１ｑと下大径凹部１ｒの右方には針金等を切断するための刃部１ｃが設けられている。
【００１６】
上部銜え部１ａに連設されている下把っ手１ｉは、握りやすくするためにやや湾曲している。下部銜え部１ｂに連設されている上把っ手１ｈもまた、握りやすくするためにやや湾曲している。
【００１７】
図１、図２及び図３に示すように、上銜え部１ａに形成されている上小径凹部１ｆと上大径銜え部１ｐ間には上突出部１ｏがあるとともに、下銜え部１ｂの下小径凹部１ｑと下大径凹部１ｒ間には下突出部１ｐがある。
【００１８】
符号１ｓは挟着部を示し、前記挟着部１ｓは、上凹凸面１ｍと下凹凸面１ｎとからる。この挟着部１ｓにより、給油管、針金等を挟むことができ、上凹凸面１ｍと下凹凸面１ｎに凹凸状に形成されているために、落下することがなくなる。また、刃部１ｃにより、給油管４、針金等を切断することができる。
【００１９】
図１に示すように、本発明である給油管折り曲げ具１の上銜え部１ａと下銜え部ｂとを閉じて接合させると、上小径凹部１ｆと下小径凹部１ｑにより小径折曲部１ｄが形成されるとともに、上大径凹部１ｇと下大径凹部１ｒとにより大径折曲部１ｅが形成される。
【００２０】
図４は本発明である給油管折り曲げ具に給油管を挟んだ時の左側面図、図５は本発明である給油管折り曲げ具に給油管を挟んだ時の断面図である。
【００２１】
図４に示すように、折り曲げようとする給油管２を小径折曲部１ｄ又は大径折曲部１ｅに置く。ここで、図５に示すように、小径折曲部１ｄは給油管２の径ａが小径である場合に使用し、大径折曲部１ｅは給油管２の径ａがやや大きい給油管２を折り曲げるときに使用する。
【００２２】
図５に示すように、上小径凹部１ｆと下小径凹部１ｑが接合することにより形成される小径折曲部１ｄの構造は、平坦部１ｊと平坦部１ｊから連続して形成されている湾曲部１ｋと湾曲部１ｋに連続して形成されている垂下部１ｌとからなる。
【００２３】
図６は、本発明である給油管折り曲げ具に給油管を挟んだ時の正面拡大図である。図５及び図６に示すように、下銜え部１ｂに形成されている下小径凹部１ｑの平坦部１ｊに給油管２の水平部２ａを置いて、上銜え部１ａを降ろし、小径折曲部１ｄに挟着させて、給油管２の垂下部２ｂを手で掴み下方に折り曲げる。
【００２４】
直角に給油管２を折り曲げると、図６に示すように、給油管２は下小径凹部１ｑの垂下部１ｌに給油管２の外周面が密着して収納されて折り曲げられるので、折曲部２ｅは潰されることなく、折り曲げられる前の径の状態で折り曲げられる。
即ち、折曲部２ｅが左右方向に押し潰されて膨張することがなくなるのである。
【００２５】
図７は、本発明である給油管折り曲げ具に給油管を挟んで折り曲げた時の左側面図、図８は本発明である給油管折り曲げ具に給油管折り曲げ具に挟んで折り曲げた時の断面図である。
【００２６】
図７及び図８に示すように、給油管２の内折曲部２ｄは、湾曲部１ｋ及び垂下部１ｌに密着した状態で折り曲げられ、給油管２の外折曲部２ｃは上小径凹部１ｆが形成されているために、押し潰されることがない。
【００２７】
図９は、本発明である給油管折り曲げ具により折り曲げた給油管の断面図である。このようにして、給油管２は折り曲げられるのである。図９に示すように、折り曲げられた給油管２の水平部内１ｆの内径と折曲部内１ｈの内径と垂下部内２ｇの内径とはほぼ同じ内径で折り曲げることができるのである。
【００２８】
【発明の効果】
本発明は、以上に説明したような構成であるから以下の効果が得られる。先ず、図１に示すような折曲部１ｄ、１ｅを設置したことによって、給油管等の内部が中空のパイプを挟み込んで折り曲げる際に、管側面方向に働く応力ｃ、ｄによって管が左右につぶれることを抑制し、曲げ部においても折曲部内２ｅを変形することなく給油管を容易に折り曲げることができる。
【００２９】
また、径が異なる給油管に対しても使用することができ、複雑な機構を用いないために非常に小型かつ簡易に使え、狭所での作業性もよい。
【００３０】
更に、本発明である給油管折り曲げ具は、従来のラジオペンチに少量の変更を加えることによって実現可能な形状としたことで、従来までの生産ラインを大幅に変更することなく生産出来る。
【００３１】
小径折曲部１ｄと大径折曲部１ｅの構造とは、全く同一である。異なる点は、前記小径折曲部１ｄは径が小さい給油管２を折り曲げる個所であり、大径折曲部１ｅは給油管２の径が大きい給油管を折り曲げるための個所である。
【図面の簡単な説明】
【図１】本発明である給油管折り曲げ具の正面図である。
【図２】本発明である給油管折り曲げ具を開いた時の正面図である。
【図３】本発明である給油管曲げ具を開いた時の左側面図である。
【図４】本発明である給油管折り曲げ具に給油管を挟んだ時の左側面図である。
【図５】本発明である給油管折り曲げ具に給油管を挟んだ時の断面図である。
【図６】本発明である給油管折り曲げ具に給油管を挟んだ時の正面拡大図である。
【図７】本発明である給油管折り曲げ具に給油管を挟んで折り曲げた時の左側面図である。
【図８】本発明である給油管折り曲げ具に給油管折り曲げ具に挟んで折り曲げた時の断面図である。
【図９】本発明である給油管折り曲げ具により折り曲げた給油管の断面図である。
【図１０】従来から使用されている給油管折り曲げ具の正面図である。
【図１１】従来から使用されている給油管折り曲げ具で給油管を挟んで折り曲げた時の正面図である。
【図１２】従来から使用されている給油管折り曲げ具で給油管を挟んで曲げた時の左側面図である。
【図１３】従来から使用されている給油管折り曲げ具で給油管を折り曲げた状態の断面図である。
【符号の説明】
１    給油管折り曲げ具
１ａ  上部銜え部
１ｂ  下部銜え部
１ｃ  刃部
１ｄ  小径折曲部
１ｅ  大径折曲部
１ｆ  上小径凹部
１ｇ  上大径凹部
１ｈ  上把っ手
１ｉ  下把っ手
１ｊ  平坦部
１ｋ  湾曲部
１ｌ  垂下部
１ｍ  上凹凸面
１ｎ  下凹凸面
１ｏ  上突出部
１ｐ  下突出部
１ｑ  下小径凹部
１ｒ  下大径凹部
２    給油管
２ａ  水平部
２ｂ  垂下部
２ｃ  外折曲部
２ｄ  内折曲部
２ｅ  折曲部
２ｆ  水平部内
２ｇ  垂下部内
２ｈ  折曲部内
３    曲げ具
３ａ  上部銜え部
３ｂ  下部銜え部
３ｃ  刃部
３ｄ  上取手
３ｅ  下取手
３ｆ  狭着部
４    給油管
４ａ  水平部
４ｂ  垂下部
４ｃ  外側湾曲部
４ｄ  内側湾曲部
４ｅ  折曲部内
４ｆ  水平部内
４ｇ  垂下部内
【図１】
0004144663.tif 000002
【図２】
0004144663.tif 000003
【図３】
0004144663.tif 000004
【図４】
0004144663.tif 000005
【図５】
0004144663.tif 000006
【図６】
0004144663.tif 000007
【図７】
0004144663.tif 000008
【図８】
0004144663.tif 000009
【図９】
0004144663.tif 000010
【図１０】
0004144663.tif 000011
【図１１】
0004144663.tif 000012
【図１２】
0004144663.tif 000013
【図１３】
0004144663.tif 000014